(57)【要約】【課題】起立する場所の傾斜角度に応じた、足裏の荷重、重心、または体重移動等を測定することができる荷重測定装置を提供する。【解決手段】人の足裏の荷重を測定する、荷重測定装置１であって、傾斜角度を所望の角度に設定可能に構成されるベース部材５と、ベース部材５の上方に配置されて、起立した人の足裏の荷重を測定するセンサ部８と、を備えるものである。より好ましくは、荷重測定装置１のベース部材５は、上面が水平となるように設定可能に構成される。【選択図】図１
2018046953.tif 000002
【特許請求の範囲】
【請求項１】
人の足裏の荷重を測定する、荷重測定装置であって、
傾斜角度を所望の角度に設定可能に構成されるベース部材と、
前記ベース部材の上方に配置されて、起立した前記人の足裏の荷重を測定するセンサ部と、
を備える、荷重測定装置。
【請求項２】
前記ベース部材は、上面が水平となるように設定可能に構成される、
請求項１に記載の荷重測定装置。
【請求項３】
前記ベース部材に設けられ、前記ベース部材に対して傾斜可能に構成される可動部材を備え、
前記センサ部は、前記可動部材に設けられる、
請求項１または請求項２に記載の荷重測定装置。
【請求項４】
前記可動部材は、左足用可動部材と右足用可動部材とで構成され、
前記左足用可動部材と前記右足用可動部材とは、それぞれ異なる角度に前記ベース部材に対して傾斜可能に構成され、
前記センサ部は、前記左足用センサ部と前記右足用センサ部とで構成され、
前記左足用センサ部は、前記左足用可動部材に設けられ、前記人の左足の足裏の荷重を測定し、
前記右足用センサ部は、前記右足用可動部材に設けられ、前記人の右足の足裏の荷重を測定する、
請求項３に記載の荷重測定装置。
【発明の詳細な説明】
【技術分野】
【０００１】
本発明は、荷重測定装置の技術に関する。
【背景技術】
【０００２】
従来、人の足裏の荷重を測定する荷重測定装置に関する技術は公知となっている（特許文献１参照）。前記荷重測定装置は、例えば、医療やリハビリ等の分野において身体機能の改善にあたって直立矯正を行うための用途や、ゴルフや野球等のスポーツの分野において直立感覚や重心感覚等を認識するための用途に用いられる。前記荷重測定装置は、人の足裏の荷重を測定するセンサ部を備える。
【先行技術文献】
【特許文献】
【０００３】
【特許文献１】特開２０１５−１０７２４７号公報
【発明の概要】
【発明が解決しようとする課題】
【０００４】
しかしながら、前述の医療やスポーツ等の分野においては、直立感覚や重心感覚等を認識するためには、人が起立する場所の傾斜角度を所望の角度に設定して、起立する場所の傾斜角度に応じた、足裏の荷重、重心、または体重移動等を測定して利用者に認識させることが望まれている。
もっとも、前記荷重測定装置では、人が起立する場所（センサ部）の傾斜角度は固定されて一定に設定され、任意に設定することができない。このため、前記荷重測定装置では、人が起立する場所の傾斜角度に応じて、足裏の荷重、重心、または体重移動等を測定することができない。
【０００５】
本発明は以上の如き状況に鑑みてなされたものであり、起立する場所の傾斜角度に応じた、足裏の荷重、重心、または体重移動等を測定することができる荷重測定装置を提供することを課題とする。
【課題を解決するための手段】
【０００６】
本発明の解決しようとする課題は以上の如くであり、次にこの課題を解決するための手段を説明する。
【０００７】
即ち、請求項１においては、人の足裏の荷重を測定する、荷重測定装置であって、傾斜角度を所望の角度に設定可能に構成されるベース部材と、前記ベース部材の上方に配置されて、起立した前記人の足裏の荷重を測定するセンサ部と、を備えるものである。
【０００８】
請求項２においては、前記ベース部材は、上面が水平となるように設定可能に構成されるものである。
【０００９】
請求項３においては、前記ベース部材に設けられ、前記ベース部材に対して傾斜可能に構成される可動部材を備え、前記センサ部は、前記可動部材に設けられるものである。
【００１０】
前記可動部材は、左足用可動部材と右足用可動部材とで構成され、前記左足用可動部材と前記右足用可動部材とは、それぞれ異なる角度に前記ベース部材に対して傾斜可能に構成され、前記センサ部は、前記左足用センサ部と前記右足用センサ部とで構成され、前記左足用センサ部は、前記左足用可動部材に設けられ、前記人の左足の足裏の荷重を測定し、前記右足用センサ部は、前記右足用可動部材に設けられ、前記人の右足の足裏の荷重を測定するものである。
【発明の効果】
【００１１】
本発明の効果として、以下に示すような効果を奏する。
即ち、本発明によれば、起立する場所の傾斜角度に応じた、足裏の荷重、重心、または体重移動等を測定することができる。
【図面の簡単な説明】
【００１２】
【図１】本発明の実施形態に係る荷重測定装置の全体的な構成を示した模式図。
【図２】同じく荷重測定装置の拡大平面図。
【図３】同じく荷重測定装置の拡大側面図。
【図４】同じく荷重測定装置の支柱部材の移動状態を示す拡大側面。
【図５】同じく荷重測定装置の吊下げ作業状態を示す拡大平面図。
【図６】同じく荷重測定装置の吊下げ作業状態を示す拡大側面図。
【図７】同じく荷重測定装置の拡大平面図。
【図８】同じく荷重測定装置の拡大側面図。
【図９】同じく荷重測定装置の拡大平面図。
【図１０】同じく荷重測定装置の拡大側面図。
【図１１】同じく荷重測定装置の拡大側面図。
【発明を実施するための形態】
【００１３】
次に、図１から図６に記載の荷重測定装置１について説明する。
【００１４】
荷重測定装置１は、起立した状態の人の足裏の荷重を測定する。荷重測定装置１は、例えば、医療やリハビリ等の分野において身体機能の改善にあたって直立矯正を行うための用途や、ゴルフや野球等のスポーツの分野において直立感覚や重心感覚等を認識するための用途に用いられる。
図１から図３に示すように、荷重測定装置１は、制御部２と、表示部３と、操作部４と、ベース部材５と、支柱部材６と、可動部材７と、センサ部８と、を備える。
【００１５】
制御部２は、記憶装置（不図示）を備え、ベース部材５内に配置される。制御部２は、荷重測定装置１の各種の動作を制御し、また、各種の情報を処理する。
【００１６】
表示部３は、例えば、ＰＣ、スマートフォン、または、タブレット等が備える表示画面で構成され、各種情報を表示可能に構成される。表示部３は、有線または無線等で制御部２と送受信可能に構成される。
【００１７】
操作部４は、操作されることによって荷重測定装置１の各種の設定、または、荷重測定装置１の各種の動作の開始や停止等を行う。操作部４は、例えば、表示部３のタッチパネル、表示部３の操作ボタン、ＰＣのキーボードやマウス、または、他の操作手段等で構成される。
【００１８】
ベース部材５は、直径が高さよりも長い（例えば、直径約８０ｃｍ、高さ約２０ｃｍの）略円柱状に構成される。ベース部材５は、人の肩幅よりも少なくとも長い直径を有する。ベース部材５は、内部が中空状に構成される。ベース部材５は、持ち運ばれることおよび人が乗ること等を考慮して、軽量且つ１５０ｋｇ程度の耐荷重に耐え得る素材（例えば、ハニカム構造を用いた合板素材）で構成されることが好ましい。
ベース部材５は、傾斜角度（上面の傾斜角度）を所望の角度に設定可能に構成される。ベース部材５は、例えば、上面が水平となるように設定可能に構成される。
【００１９】
ベース部材５は、四個（複数個）の支持部９を備える。ベース部材５の支持部９は、支柱部材６を支持する。ベース部材５の支持部９は、９０度位相をずらして、ベース部材５の下面に配置される。ベース部材５の支持部９は、ベース部材５の側面近傍に配置される。ベース部材５の支持部９は、円筒状に構成され、ベース部材５の下面から下方に突出する。
【００２０】
支柱部材６は、柱状の部材であり、ベース部材５の下面側に配置される。支柱部材６は、ベース部材５の下面側において四個（複数個）の支持部９にそれぞれ配置されて、ベース部材５を下方から支える。四個の支柱部材６は、９０度位相をずらして、ベース部材５の支持部９に設けられる。
支柱部材６は、ベース部材５の支持部９に一部（少なくとも上端部）が挿入され、下端部が支持部９から下方に突出するように配置され、上下方向（ベース部材５の軸心方向）に移動可能に構成される（図４参照）。
支柱部材６は、ベース部材５の支持部９からの突出位置を所望の位置に固定可能に構成される。支柱部材６は、例えば、手動または自動（機械装置や油圧装置等）で移動可能に構成される。支柱部材６は、例えば、ボルトやビス等の締具または自動で、ベース部材５の支持部９からの突出位置が固定される。
【００２１】
可動部材７は、ベース部材５に設けられる。可動部材７は、ベース部材５の上面（ベース部材５の上方）に配置される。可動部材７は、ベース部材５の傾斜動作に追従して傾斜するように構成される。
可動部材７は、平板円盤状に構成される。可動部材７は、例えば、肩幅よりも若干広く両足を開いて起立した状態で両足が配置可能なように、人の肩幅よりも少なくとも長い直径を有する。
可動部材７は、ベース部材５とは独立して、傾斜角度を設定可能に構成される。可動部材７は、ベース部材５に対して傾斜可能に構成される。可動部材７は、最大傾斜角度（ベース部材５に対する最大傾斜角度）が例えば４５度に設定される。可動部材７は、例えば、手動または自動（機械装置や油圧装置等）によって可動されて、ベース部材５に対する傾斜角度を所望の角度に設定可能に構成される。
【００２２】
センサ部８は、センサ部８上に人が起立したときに、人の足裏（靴の裏を含む）の荷重（足裏のどの部分にどれだけ荷重されているかについて）を測定する。センサ部８は、ベース部材５の上方に配置される。センサ部８は、可動部材７に設けられる。センサ部８は、可動部材７の上面に配置される。センサ部８は、ベース部材５の傾斜動作または可動部材７の傾斜動作に追従して傾斜するように構成される。センサ部８は、平板円盤状に構成される。センサ部８は、例えば、肩幅よりも若干広く両足を開いて起立した状態で両足が配置可能なように、人の肩幅よりも少なくとも長い直径を有する。
【００２３】
このように構成される荷重測定装置１では、まず、ベース部材５の傾斜角度を所望の角度に設定して、センサ部８の傾斜角度を所望の角度に設定する。このとき、制御部２は、ベース部材５の傾斜角度に関する情報を、記憶装置に記憶し、また、表示部３に送信する。
ベース部材５の傾斜角度が所望の角度に設定された状態で、人がセンサ部８の上に起立する。そして、操作部４を操作することによって、起立した状態の人の足裏の荷重を測定する。このとき、制御部２は、センサ部８の検出した足裏に掛かる荷重に関する情報を、記憶装置に記憶し、また、表示部３に表示したときに視認し易いような情報に生成して表示部３に送信する。表示部３は、センサ部８の検出した足裏に掛かる荷重に関する情報、または、可動部材７の傾斜角度に関する情報等を表示する。
【００２４】
以上のように、傾斜角度を所望の角度に設定可能に構成されるベース部材と、前記ベース部材の上方に配置されて、センサ部８上に人が起立したときに人の足裏の荷重を測定するセンサ部８と、を備える、荷重測定装置１では、ベース部材５の傾斜角度を所望の角度に設定してセンサ部８の傾斜角度を所望の角度に設定し、当該所望の傾斜角度に設定されたセンサ部８によって、足裏の荷重（足裏のどの部分にどれだけ荷重されているかについて）を測定することができる。
このため、荷重測定装置１では、起立する場所（センサ部８）の傾斜角度に応じて、足裏の荷重を測定することができる。
したがって、荷重測定装置１では、起立する場所の傾斜角度に応じた、足裏の荷重、重心、または体重移動等を測定することができる。
【００２５】
また、荷重測定装置１では、ベース部材５の傾斜角度を所望の角度に設定した状態で、可動部材７の傾斜角度（ベース部材５に対する稼働部材７の傾斜角度）を所望の角度に設定する。このとき、制御部２は、ベース部材５の傾斜角度に関する情報および可動部材７の傾斜角度に関する情報を、記憶装置に記憶し、また、表示部３に送信する。
可動部材７の傾斜角度が所望の角度に設定された状態で、人がセンサ部８の上に起立して、起立した状態の人の足裏の荷重を測定する。このとき、制御部２は、センサ部８の検出した足裏に掛かる荷重に関する情報を、記憶装置に記憶し、また、表示部３に表示したときに視認し易いような情報に生成して表示部３に送信する。表示部３は、センサ部８の検出した足裏に掛かる荷重に関する情報、ベース部材５の傾斜角度に関する情報、または、可動部材７の傾斜角度に関する情報等を表示する。
【００２６】
以上のように、ベース部材５に対して傾斜可能に構成される可動部材７と、センサ部８上に人が起立したときに人の足裏の荷重を測定するセンサ部８と、を備える、荷重測定装置１では、可動部材７およびセンサ部８のベース部材５に対する傾斜角度を所望の角度に設定した状態で、足裏の荷重（足裏のどの部分にどれだけ荷重されているかについて）を測定することができる。
このため、荷重測定装置１では、起立する場所（可動部材７およびセンサ部８）のベース部材５に対する傾斜角度に応じて、足裏の荷重を測定することができる。
したがって、荷重測定装置１では、起立する場所のベース部材５に対する傾斜角度に応じた、足裏の荷重、重心、または体重移動等を測定することができる。
【００２７】
以上のように、センサ部８の検出した足裏に掛かる荷重に関する情報、または、可動部材７の傾斜角度に関する情報等を表示する表示部を備える、荷重測定装置１では、測定した足裏の荷重に関する情報等を表示部に表示することによって、起立する場所のベース部材５に対する傾斜角度に応じた、足裏の荷重、重心、または体重移動等を、視覚的に認識することができる。このため、荷重測定装置１では、医療やリハビリの分野またはスポーツの分野等において、より有効に活用することができる。
【００２８】
以上のように、ベース部材５は、上面が水平となるように設定可能に構成される、荷重測定装置１では、ベース部材５が水平に設定されることによって、起立する場所（可動部材７およびセンサ部８）のベース部材５に対する傾斜角度を、より正確に設定または制御等することができる。
また、ベース部材５（ベース部材５および可動部材７）を水平となるように設定することによって、人の足裏の荷重を測定するときに起立する場所（センサ部８）を水平に設定することができる。このように、人が起立する場所を水平に設定した状態で、人の足裏の荷重を測定し、また、表示部３において当該足裏に掛かる荷重に関する情報を表示すること等によって、より正確な直立感覚または重心感覚等を、利用者に認識させることができる。
【００２９】
荷重測定装置１は、三個（複数個）の接続部１０と、三個（複数個）の吊下部材１１と、ウエイト１２と、を備える。
接続部１０は、吊下部材１１が接続可能に構成される。接続部１０は、ベース部材５の側面から外側に突出する。接続部１０は、１２０度ずつ位相をずらして、ベース部材５の側面（周面）に配置される。接続部１０は、それぞれ同じ高さ（同一の高さ）に配置される。
ウエイト１２は、所定の金属塊を加工成型してなるものであり、ベース部材５の下面中央に設けられる。ウエイト１２は、略円錐状に形成され、ベース部材５の下面から下方に突出するように構成される。
図５または図６に示すように、吊下部材１１は、ベース部材５の上面が水平となるように（ベース部材５の傾斜角度を所望の角度に）設定するときに、接続部１０に接続されて（固定されて）、ベース部材５（荷重測定装置１）を吊下げる。吊下部材１１は、ベース部材５を吊下げ可能な金属製のワイヤまたはシャフト等で構成される。三本の吊下部材１１は、それぞれの一端が例えばフック等に固定され、それぞれの他端が三個の接続部１０のそれぞれに固定される。このような状態において、三本の吊下部材１１は、それぞれ同じ長さ（均一な長さ）となるように設定される。また、三本の吊下部材１１の吊角度は、３０度となるよう設定されることが好ましい。
三本の吊下部材１１をそれぞれ同じ長さとなるようにして吊下げられたベース部材５は、その上面が水平となった状態となる。このように吊下げられてベース部材５が水平となった状態で、四個の支柱部材６の下端部をそれぞれ床面に接触させて、ベース部材５の支持部９からの支柱部材６の突出位置をそれぞれ固定する。このようにして、荷重測定装置１では、上面が水平となるようにベース部材５を設定する。
【００３０】
以上のように、三本の吊下部材１１を備え、ベース部材５の上面が水平となるように設定するときに三本の吊下部材１１をそれぞれ同じ長さとなるようにしてベース部材５を吊下げる、荷重測定装置１では、簡易な構成で、ベース部材５が水平となるように設定することができる。
また以上のように、ベース部材５の下面中央にウエイト１２を備える荷重測定装置１では、ベース部材５の上面が水平となるように設定する際に荷重測定装置１（ベース部材５）が吊下げられた状態となったときに、ベース部材５の下面中央にウエイト１２が設けられることから、荷重測定装置１の吊下げられた状態をより早く安定させることができる。
【００３１】
次に、図７から図８に記載の荷重測定装置１について説明する。なお、図７から図８に記載の荷重測定装置１の説明においては、図１から図６に記載の荷重測定装置１と同様の部分の説明を適宜省略し、図１から図６に記載の荷重測定装置１と異なる部分を中心に説明する。
【００３２】
図７または図８に示すように、荷重測定装置１の可動部材７は、左足用可動部材７Ｌと右足用可動部材７Ｒとで構成される。
左足用可動部材７Ｌと右足用可動部材７Ｒとは、それぞれ独立して異なる角度にベース部材５に対して傾斜可能に構成される。
左足用可動部材７Ｌと右足用可動部材７Ｒとは、例えば、直径約４０ｃｍの平板円盤状に構成され、互いに近接するようにベース部材５の上面に配置される。
左足用可動部材７Ｌは、例えば、肩幅よりも若干広く両足を開いて起立した状態で左足（左足の足裏）を配置可能なように構成される。左足用可動部材７Ｌは、ベース部材５（水平）に対して傾斜可能に構成される。
右足用可動部材７Ｒは、例えば、肩幅よりも若干広く両足を開いて起立した状態で右足を配置可能に構成される。右足用可動部材７Ｒは、ベース部材５（水平）に対して傾斜可能に構成される。
【００３３】
センサ部８は、左足用センサ部８Ｌと右足用センサ部８Ｒとで構成される。
左足用センサ部８Ｌは、人が起立したときの、人の左足の足裏の荷重（足裏のどの部分にどれだけ荷重されているかについて）を測定する。右足用センサ部８Ｒは、人が起立したときの、人の右足の足裏の荷重（足裏のどの部分にどれだけ荷重されているかについて）を測定する。
左足用センサ部８Ｌと右足用センサ部８Ｒとは、例えば、直径約４０ｃｍの平板円盤状にそれぞれ構成される。
左足用センサ部８Ｌは、左足用可動部材７Ｌに設けられる。左足用センサ部８Ｌは、左足用可動部材７Ｌの上面に配置される。左足用センサ部８Ｌは、左足用可動部材７Ｌの傾斜にともなって傾斜する。左足用センサ部８Ｌは、例えば、肩幅よりも若干広く両足を開いて起立した状態で左足を配置可能なように構成される。
右足用センサ部８Ｒは、右足用可動部材７Ｒに設けられる。右足用センサ部８Ｒは、右足用可動部材７Ｒの上面にそれぞれ配置される。右足用センサ部８Ｒは、右足用可動部材７Ｒの傾斜にともなって傾斜する。右足用センサ部８Ｒは、例えば、肩幅よりも若干広く両足を開いて起立した状態で右足を配置可能に構成される。
【００３４】
以上のように、左足用可動部材７Ｌと右足用可動部材７Ｒとは、それぞれ異なる角度にベース部材５に対して傾斜可能に構成され、左足用センサ部８Ｌは、左足用可動部材７Ｌに設けられ、人の左足の足裏の荷重を測定し、右足用センサ部８Ｒは、右足用可動部材７Ｒに設けられ、人の右足の足裏の荷重を測定する、荷重測定装置１では、左足用可動部材７Ｌと左足用センサ部８Ｌ、および、右足用可動部材７Ｒと右足用センサ部８Ｒのベース部材５に対する傾斜角度をそれぞれ所望の角度に設定した状態で、左足の足裏および右足の足裏の荷重（左足の足裏または右足の足裏のどの部分にどれだけ荷重されているかについて）をそれぞれ測定することができる。
このように、荷重測定装置１では、左足用可動部材７Ｌと左足用センサ部８Ｌのベース部材５に対する傾斜角度に応じて、左足の足裏の荷重を測定することができ、また、右足用可動部材７Ｒと右足用センサ部８Ｒのベース部材５に対する傾斜角度に応じて、右足の足裏の荷重を測定することができる。
したがって、荷重測定装置１では、右足と左足とで傾斜角度がそれぞれ違うような起立する場所がより複雑な状態となっている場合においても、左足の足裏または右足の足裏の荷重を測定することができる。
【００３５】
次に、図９から図１０に記載の荷重測定装置１について説明する。なお、図９から図１０に記載の荷重測定装置１の説明においては、図１から図８に記載の荷重測定装置１と同様の部分の説明を適宜省略し図１から図８に記載の荷重測定装置１と異なる部分を中心に説明する。
【００３６】
図９または図１０に示すように、荷重測定装置１の可動部材７は、全体可動部材７Ａと左足用可動部材７Ｌと右足用可動部材７Ｒとで構成される。
全体可動部材７Ａと左足用可動部材７Ｌと右足用可動部材７Ｒとは、それぞれ独立して異なる角度にベース部材５に対して傾斜可能に構成される。
全体可動部材７Ａは、ベース部材５に設けられる。全体可動部材７Ａは、ベース部材５の上面（ベース部材５の上方）に配置される。全体可動部材７Ａは、は、平板円盤状に構成される。全体可動部材７Ａは、例えば、肩幅よりも若干広く両足を開いて起立した状態で両足が配置可能なように、人の肩幅よりも少なくとも長い直径を有する。全体可動部材７Ａは、ベース部材５（水平）に対して傾斜可能に構成される。全体可動部材７Ａは、最大傾斜角度が例えば４５度に設定される。全体可動部材７Ａは、例えば、手動または自動（機械装置や油圧装置等）によって可動されて、ベース部材５に対する傾斜角度を所望の角度に設定可能に構成される。
左足用可動部材７Ｌと右足用可動部材７Ｒとは、全体可動部材７Ａの上面に配置される。
【００３７】
センサ部８は、左足用センサ部８Ｌと右足用センサ部８Ｒとで構成される。
左足用センサ部８Ｌは、全体可動部材７Ａまたは左足用可動部材７Ｌの傾斜にともなって傾斜する。
右足用センサ部８Ｒは、全体可動部材７Ａまたは右足用可動部材７Ｒの傾斜にともなって傾斜する。
【００３８】
以上のように、全体可動部材７Ａと左足用可動部材７Ｌと右足用可動部材７Ｒとは、それぞれ異なる角度にベース部材５に対して傾斜可能に構成される、荷重測定装置１では、全体可動部材７Ａ、左足用可動部材７Ｌと左足用センサ部８Ｌ、および、右足用可動部材７Ｒと右足用センサ部８Ｒのベース部材５に対する傾斜角度をそれぞれ所望の角度に設定した状態で、左足の足裏および右足の足裏の荷重（左足の足裏または右足の足裏のどの部分にどれだけ荷重されているかについて）をそれぞれ測定することができる。
このように、荷重測定装置１では、左足用可動部材７Ｌと左足用センサ部８Ｌのベース部材５に対する傾斜角度に応じて、左足の足裏の荷重を測定することができ、また、右足用可動部材７Ｒと右足用センサ部８Ｒのベース部材５に対する傾斜角度に応じて、右足の足裏の荷重を測定することができる。
したがって、荷重測定装置１では、右足と左足とで傾斜角度がそれぞれ違うような起立する場所がさらに複雑な状態となっている場合において、左足の足裏または右足の足裏の荷重を測定することができる。
【００３９】
次に、図１１に記載の荷重測定装置１について説明する。なお、図１１に記載の荷重測定装置１の説明においては、図１から図１０に記載の荷重測定装置１と同様の部分の説明を適宜省略し図１から図１０に記載の荷重測定装置１と異なる部分を中心に説明する。
【００４０】
図１１に示すように、荷重測定装置１では、槽１３内に溜められた水やセメント等の所定の液体（液面上）にベース部材５を浮かせることによって、ベース部材５（ベース部材５および可動部材７）を水平となるように設定する。
荷重測定装置１は、ベース部材５と、支柱部材６と、可動部材７と、センサ部８と、三個（複数個）の吊下部材１１と、ウエイト１２と、を備える。
ベース部材５の支持部９は、フロートとして構成され、槽１３内に溜められた所定の液体にベース部材５を浮かせることができる浮力を有する。
【００４１】
吊下部材１１は、槽１３内に溜められた所定の液体にベース部材５を浮かせることによってベース部材５の上面が水平となるように設定するときに、ベース部材５（ベース部材５の下面）に接続されて、槽１３（槽１３の液体内）内においてウエイト１２を吊下げる。吊下部材１１は、ベース部材５の下方中央にウエイト１２が位置するように、ウエイト１２を吊下げる。三本の吊下部材１１は、それぞれの一端がベース部材５の下面に固定され、それぞれの他端がウエイト１２に固定される。このような状態において、三本の吊下部材１１は、それぞれ同じ長さとなるように設定される。
【００４２】
このように構成される荷重測定装置１では、槽１３内に溜められた所定の液体にベース部材５を浮かせることによって、ベース部材５の上面が水平となった状態となる。このように槽１３内に溜められた所定の液体にベース部材５を浮かせてベース部材５が水平となった状態で、四個の支柱部材６の下端部をそれぞれ槽１３の床面に接触させて、ベース部材５の支持部９からの支柱部材６の突出位置をそれぞれ固定する。このようにして、荷重測定装置１では、上面が水平となるようにベース部材５を設定する。
【００４３】
以上のように、槽１３内に溜められた所定の液体にベース部材５を浮かせることによってベース部材５の上面が水平となるように設定する、荷重測定装置１では、簡易な構成で、ベース部材５が水平となるように設定することができる。
【００４４】
以上のように、三本の吊下部材１１と、ウエイト１２と、を備え、槽１３内に溜められた所定の液体にベース部材５を浮かせることによってベース部材５の上面が水平となるように設定するときに、槽１３（槽１３の液体内）内において三本の吊下部材１１をそれぞれ同じ長さとなるようにしてウエイト１２を吊下げる、荷重測定装置１では、槽１３内において吊下部材１１によってウエイト１２が吊下げられることから、荷重測定装置１の吊下げられた状態をより早く安定させることができる。
【符号の説明】
【００４５】
１    荷重測定装置
２    制御部
３    表示部
４    操作部
５    ベース部材
６    支柱部材
７    可動部材
８    センサ部
９    支持部
１０  接続部
１１  吊下部材
１２  ウエイト
１３  槽
【図１】
2018046953.tif 000003
【図２】
2018046953.tif 000004
【図３】
2018046953.tif 000005
【図４】
2018046953.tif 000006
【図５】
2018046953.tif 000007
【図６】
2018046953.tif 000008
【図７】
2018046953.tif 000009
【図８】
2018046953.tif 000010
【図９】
2018046953.tif 000011
【図１０】
2018046953.tif 000012
【図１１】
2018046953.tif 000013